(57)【要約】【課題】構造を単純にして、部品点数を減らし、操作性を向上する。【解決手段】プッシュボタン６内に配置されたシリンダ錠４先端に押圧操作方向に向かって突設されたプッシュロッド７と、プッシュロッド７先端と対向する位置に、ドアロック位置とドアロック解除位置との間を移動自在に配置された被押圧部材８とを備え、錠部４ａがプッシュ待機位置に保持された状態では、ドアロック位置に被押圧部材８を保持し、錠部４ａが回転待機位置に位置しつつ、プッシュ位置へ変位した状態では、プッシュロッド７先端との連係を解除して、ドアロック位置に被押圧部材８を保持し、錠部４ａがキー回転位置に位置しつつ、プッシュ位置へ変位した状態では、プッシュロッド７先端と連係し、ドアロック解除位置に被押圧部材８へ変位する。【選択図】図１
2007270422.tif 000002
【特許請求の範囲】
【請求項１】
ドア支持部材に対して開閉自在にドアを設け、このドアを閉位置でロックするドアロック装置にあって、
前記ドアと前記ドア支持部材のいずれか一方に固定され、ボタン収容穴を有するボタンケースと、
前記ボタン収容穴内に、プッシュ待機位置とプッシュ位置との間で押圧操作方向に沿って移動自在に配置され、錠収容穴を有するプッシュボタンと、
前記プッシュボタンをプッシュ待機位置側に付勢する付勢手段と、
前記錠収容穴内に配置され、操作者の押圧力を受けると前記プッシュボタンと一体に押圧操作方向に移動するとともに、適正なキーの回転操作によって回転待機位置とキー回転位置との間で回転される錠部を有するシリンダ錠と、
前記錠部先端に押圧操作方向に向かって突設されたプッシュロッドと、
前記プッシュロッド先端と対向する位置に、ドアロック位置とドアロック解除位置との間を移動自在に配置された被押圧部材とを備え
前記被押圧部材は、
前記錠部がプッシュ待機位置に保持された状態では、ドアロック位置に保持され、
前記錠部が回転待機位置に位置しつつ、プッシュ位置へ変位した状態では、前記プッシュロッド先端との連係が解除されて、ドアロック位置に保持され、
前記錠部がキー回転位置に位置しつつ、プッシュ位置へ変位した状態では、前記プッシュロッド先端と連係し、ドアロック解除位置に変位することを特徴とするドアロック装置。
【請求項２】
請求項１記載のドアロック装置であって、
前記プッシュロッドは、前記錠部の回転中心上に位置し、その先端が回転中心に対して非軸対称形状に形成され、
前記被押圧部材には、空振孔が設けられ、
前記錠部が回転待機位置に位置しつつ、プッシュ位置へ変位した状態では、前記プッシュロッド先端が前記空振孔に挿入されることで、前記プッシュロッド先端と前記被押圧部材との連係が解除され、
前記錠部がキー回転位置に位置しつつ、プッシュ位置へ変位した状態では、前記プッシュロッド先端が前記空振孔周縁に当接することで、前記プッシュロッド先端と前記被押圧部材とが連係することを特徴とするドアロック装置。
【請求項３】
請求項１記載のドアロック装置であって、
前記プッシュロッドは、前記錠部の回転中心に対してシフトした位置より軸方向に突出され、
前記被押圧部材には、切欠部が設けられ、
前記錠部が回転待機位置に位置しつつ、プッシュ位置へ変位した状態では、前記プッシュロッド先端が前記切欠部に挿入されることで、前記プッシュロッド先端と前記被押圧部材との連係が解除され、
前記錠部がキー回転位置に位置しつつ、プッシュ位置へ変位した状態では、前記プッシュロッド先端が前記切欠部周縁に当接することで、前記プッシュロッド先端と前記被押圧部材とが連係することを特徴とするドアロック装置。
【発明の詳細な説明】
【技術分野】
【０００１】
本発明は、キーでシリンダ錠が回転されない状態では、プッシュ操作を空振りさせることによってドアロック状態を保持するドアロック装置に関する。
【背景技術】
【０００２】
この種のドアロック装置は、例えば自動車のバックドアのドアロック装置に適用されており、その一従来例としては特許文献１に開示されたものがある。このドアロック装置１００は、図９及び図１０に示すように、ドアに固定されたシリンダ本体１０１と、このシリンダ本体１０１の孔１０１ａ内に配置され、軸方向待機位置（図９の位置）とプッシュ位置との間で軸方向に移動自在であると共に、適正なキーの回転操作によって回転方向待機位置とキー回転位置との間で回転されるシリンダ錠１０２と、シリンダ錠１０２を軸方向待機位置側に付勢するバネ１０３と、シリンダ本体１０１の孔１０１ａ内に配置され、操作者の押圧力を受けるとシリンダ錠１０２と一体に軸方向に変位するプッシュボタン１０４と、シリンダ錠１０２の先端に固定されたシリンダレバー１０５と、このシリンダレバー１０５の外周端よりシリンダ錠１０２の軸方向に向かって突出された押圧ロッド１０６と、この押圧ロッド１０６の対向位置に配置され、変位位置によってドアロック状態の保持・解除を行う被押圧レバー１０７とを備えている。
【０００３】
押圧ロッド１０６はプッシュボタン１０４の中心に対して大きく離れた位置に配置されている。そして、シリンダ錠１０２がキー回転位置にあっては押圧ロッド１０６が被押圧レバー１０７に対向するが、シリンダ錠１０２が回転方向待機位置にあっては押圧ロッド１０６が被押圧レバー１０７に対向しないように構成されている。
【０００４】
上記構成において、シリンダ錠１０２が回転方向待機位置にある場合に、操作者がプッシュボタン１０４を押圧してシリンダ錠１０２をプッシュ位置まで押圧する。すると、シリンダ錠１０２と共に押圧ロッド１０６が変位するが、押圧ロッド１０６は被押圧レバー１０７を押圧せずに空振りする。そのため、被押圧レバー１０７は変位せずにドアロック状態が保持される。また、シリンダ錠１０２に適正なキーを挿入してシリンダ錠１０２をキー回転位置に回転する。この状態で操作者がプッシュボタン１０４を押圧してシリンダ錠１０２をプッシュ位置まで押圧する。すると、シリンダ錠１０２と共に押圧ロッド１０６が変位し、押圧ロッド１０６は被押圧レバー１０７を押圧する。これによって、被押圧レバー１０７は変位し、ドアロック状態が解除される。
【０００５】
このように、シリンダ錠１０２の回転方向待機位置では、操作者の押圧力を空振りさせることによってドアロック状態を保持することができ、不適正な操作力によって被押圧レバー１０７等が不要な外力を受けないようにできる等の利点がある。
【特許文献１】実公平２−４６６１２号公報
【発明の開示】
【発明が解決しようとする課題】
【０００６】
しかしながら、従来のドアロック装置１００では、シリンダ錠１０２から被押圧レバー１０７への押圧力の伝達がシリンダレバー１０５と押圧ロッド１０６を介して行う構成であるため構造が複雑で、且つ、部品点数が多いという問題がある。又、プッシュボタン１０４の中心Ｏ１に対して押圧ロッド１０６の押圧ポイントが大きくシフトＬ２しているため、シリンダレバー１０５の撓み変形などの影響を受けて操作者の押圧力がストレートに押圧ロッド１０６の押圧ポイントに作用しない。そのため、操作性が悪いという問題がある。
【０００７】
そこで、本発明は、構造がシンプルで、且つ、部品点数が少なくて済み、しかも、操作性が良いドアロック装置を提供することを目的とする。
【課題を解決するための手段】
【０００８】
上記目的を達成する請求項１の発明は、ドア支持部材に対して開閉自在にドアを設け、このドアを閉位置でロックするドアロック装置にあって、前記ドアと前記ドア支持部材のいずれか一方に固定され、ボタン収容穴を有するボタンケースと、前記ボタン収容穴内に、プッシュ待機位置とプッシュ位置との間で押圧操作方向に沿って移動自在に配置され、錠収容穴を有するプッシュボタンと、前記プッシュボタンをプッシュ待機位置側に付勢する付勢手段と、前記錠収容穴内に配置され、操作者の押圧力を受けると前記プッシュボタンと一体に押圧操作方向に移動するとともに、適正なキーの回転操作によって回転待機位置とキー回転位置との間で回転される錠部を有するシリンダ錠と、前記錠部先端に押圧操作方向に向かって突設されたプッシュロッドと、前記プッシュロッド先端と対向する位置に、ドアロック位置とドアロック解除位置との間を移動自在に配置された被押圧部材とを備え前記被押圧部材は、前記錠部がプッシュ待機位置に保持された状態では、ドアロック位置に保持され、前記錠部が回転待機位置に位置しつつ、プッシュ位置へ変位した状態では、前記プッシュロッド先端との連係が解除されて、ドアロック位置に保持され、前記錠部がキー回転位置に位置しつつ、プッシュ位置へ変位した状態では、前記プッシュロッド先端と連係し、ドアロック解除位置に変位することを特徴とするドアロック装置。
【０００９】
請求項２の発明は、請求項１記載のドアロック装置であって、前記プッシュロッドは、前記錠部の回転中心上に位置し、その先端が回転中心に対して非軸対称形状に形成され、前記被押圧部材には、空振孔が設けられ、前記錠部が回転待機位置に位置しつつ、プッシュ位置へ変位した状態では、前記プッシュロッド先端が前記空振孔に挿入されることで、前記プッシュロッド先端と前記被押圧部材との連係が解除され、前記錠部がキー回転位置に位置しつつ、プッシュ位置へ変位した状態では、前記プッシュロッド先端が前記空振孔周縁に当接することで、前記プッシュロッド先端と前記被押圧部材とが連係することを特徴とする。
【００１０】
請求項３の発明は、請求項１記載のドアロック装置であって、前記プッシュロッドは、前記錠部の回転中心に対してシフトした位置より軸方向に突出され、前記被押圧部材には、切欠部が設けられ、前記錠部が回転待機位置に位置しつつ、プッシュ位置へ変位した状態では、前記プッシュロッド先端が前記切欠部に挿入されることで、前記プッシュロッド先端と前記被押圧部材との連係が解除され、前記錠部がキー回転位置に位置しつつ、プッシュ位置へ変位した状態では、前記プッシュロッド先端が前記切欠部周縁に当接することで、前記プッシュロッド先端と前記被押圧部材とが連係することを特徴とする。
【発明の効果】
【００１１】
請求項１の発明によれば、シリンダ錠に直接プッシュロッドが固定されている。そして、プッシュボタンの中心上にプッシュロッドの押圧ポイントがほぼ位置するため、操作者の押圧力がストレートにプッシュロッドの押圧ポイントに作用する。以上より、構造がシンプルで、且つ、部品点数が少なくて済み、しかも、操作性が良い。
【００１２】
請求項２の発明によれば、請求項１の発明と同様の効果が得られる。
【００１３】
請求項３の発明によれば、請求項１の発明と同様の効果が得られる。
【発明を実施するための最良の形態】
【００１４】
以下、本発明の実施形態を図面に基づいて説明する。
【００１５】
（第１実施形態）
図１〜図４は本発明の第１実施形態を示し、図１（ａ）はシリンダ錠が回転待機位置にあってプッシュ操作前のドアロック装置の正面図、図１（ｂ）は図１（ａ）のＡ−Ａ線断面図、図１（ｃ）はシリンダ錠が回転待機位置にある場合の被押圧レバーとプッシュロッドの先端部との位置関係を示す右側面図、図２（ａ）はシリンダ錠が回転待機位置にあってプッシュ操作後のドアロック装置の正面図、図２（ｂ）は図２（ａ）のＢ−Ｂ線断面図、図２（ｃ）はシリンダ錠が回転待機位置にある場合の被押圧レバーとプッシュロッドの先端部との位置関係を示す右側面図、図３（ａ）はシリンダ錠がキー回転位置にあってプッシュ操作前のドアロック装置の正面図、図３（ｂ）は図３（ａ）のＣ−Ｃ線断面図、図３（ｃ）はシリンダ錠がキー回転位置にある場合の被押圧レバーとプッシュロッドの先端部との位置関係を示す右側面図、図４（ａ）はシリンダ錠がキー回転位置にあってプッシュ操作後のドアロック装置の正面図、図４（ｂ）は図４（ａ）のＤ−Ｄ線断面図、図４（ｃ）はシリンダ錠がキー回転位置にある場合の被押圧レバーとプッシュロッドの先端部との位置関係を示す右側面図である。
【００１６】
図１〜図４に示すように、ドアロック装置１Ａは、ドア２に固定されたボタンケース３と、このボタンケース３のボタン収容穴３ａ内に配置されたプッシュボタン６と、プッシュボタン６をプッシュ待機位置側に付勢する付勢手段であるバネ５と、プッシュボタン６の錠収容穴６ａ内に配置されたシリンダ錠４と、シリンダ錠４の先端より一体に設けられたプッシュロッド７と、このプッシュロッド７の対向位置に配置された被押圧レバー８と、ドア支持部材１０に設けられ、被押圧レバー８に係止される被フック部１１とを備えている。
【００１７】
プッシュボタン６は、その後端面が外部に露出され、プッシュ待機位置（図１、図３の位置）とプッシュ位置（図１、図４の位置）との間で軸方向に移動自在に配置され、操作者によって押圧可能に構成されている。又、プッシュボタン６は、ボタンケース３に対してシリンダ錠４の軸方向にシリンダ錠４と一体に移動自在に配置されている。そして、プッシュボタン６の中心位置Ｏ１にシリンダ錠４が設けられている。
【００１８】
シリンダ錠４は、キー（図示せず）が挿入される錠部４ａと、この錠部４ａを支持するシリンダケース４ｂとから構成されており、錠部４ａは、挿入された適正なキーの回転操作によって回転待機位置（図１、図２の位置）とキー回転位置（図３、図４の位置）との間で自在に回転可能に支持されている。
【００１９】
プッシュロッド７は、錠部４ａの先端で、且つ、錠部４ａの回転中心位置、つまり、プッシュボタン６の中心位置Ｏ１より軸方向に向かって突出されている。プッシュロッド７の先端部７ａは、回転中心に対して非軸対称形状である長方形状を有している。
【００２０】
被押圧レバー８は、揺動ピン部８ｃを中心に揺動自在に支持され、その一端側には空振孔８ａが形成されている。空振孔８ａは、プッシュロッド７の先端部７ａと同様に非軸対称形状である長方形状を有し、錠部４ａが回転待機位置にある場合には、互いの長方形状の向きが一致し、錠部４ａがキー回転位置にある場合には、互いの長方形状が９０度シフトする向きになるよう設定されている。被押圧レバー８の他端側にはフック部８ｂが設けられ、このフック部８ｂが被フック部１１に係止されている。これによってドア２がロックされている。
【００２１】
上記構成において、図１（ａ）〜（ｃ）に示すように、プッシュボタン６とともに、錠部４ａがプッシュ待機位置に保持された状態、つまり操作前の状態では、被押圧レバー８はドアロック位置に保持されている。そして、錠部４ａが回転待機位置にある状態で、操作者がプッシュボタン６を押圧して錠部４ａをプッシュ位置まで押圧すると、図２（ａ）〜（ｃ）に示すように、錠部４ａと共にプッシュロッド７が変位するが、プッシュロッド７は被押圧レバー８の空振孔８ａに挿入され、空振りする。そのため、被押圧レバー８は変位せずにドアロック状態が保持される。
【００２２】
図３（ａ）〜（ｃ）に示すように、錠部４ａに適正なキーを挿入して錠部４ａをキー回転位置に回転する。この状態で操作者がプッシュボタン６を押圧して錠部４ａをプッシュ位置まで押圧する。すると、図４（ａ）〜（ｃ）に示すように、錠部４ａと共にプッシュロッド７が変位し、プッシュロッド７は被押圧レバー８を押圧する。これによって、被押圧レバー８は変位し、ドアロック状態が解除される。
【００２３】
以上、第１実施形態では、錠部４ａに直接プッシュロッド７が固定されている。そして、プッシュボタン６の中心Ｏ１上にプッシュロッド７の押圧ポイントが位置するため、操作者の押圧力がストレートにプッシュロッド７の押圧ポイントに作用する。以上より、従来例に較べて構造がシンプルで、且つ、部品点数が少なくて済み、しかも、操作性が良い。
【００２４】
（第２実施形態）
図５〜図８は本発明の第２実施形態を示し、図５（ａ）はシリンダ錠が回転待機位置にあってプッシュ操作前のドアロック装置の正面図、図５（ｂ）は図５（ａ）のＥ−Ｅ線断面図、図５（ｃ）はシリンダ錠が回転待機位置にある場合の被押圧レバーとプッシュロッドの先端部との位置関係を示す右側面図、図６（ａ）はシリンダ錠が回転待機位置にあってプッシュ操作後のドアロック装置の正面図、図６（ｂ）は図６（ａ）のＦ−Ｆ線断面図、図６（ｃ）はシリンダ錠が回転待機位置にある場合の被押圧レバーとプッシュロッドの先端部との位置関係を示す右側面図、図７（ａ）はシリンダ錠がキー回転位置にあってプッシュ操作前のドアロック装置の正面図、図７（ｂ）は図７（ａ）のＧ−Ｇ線断面図、図７（ｃ）はシリンダ錠がキー回転位置にある場合の被押圧レバーとプッシュロッドの先端部との位置関係を示す右側面図、図８（ａ）はシリンダ錠がキー回転位置にあってプッシュ操作後のドアロック装置の正面図、図８（ｂ）は図８（ａ）のＨ−Ｈ線断面図、図８（ｃ）はシリンダ錠がキー回転位置にある場合の被押圧レバーとプッシュロッドの先端部との位置関係を示す右側面図である。前記第１実施形態のドアロック装置１Ａは、プッシュボタン６の操作の中心位置Ｏ１にシリンダ錠４が設けられた場合であり、この第２実施形態のドアロック装置１Ｂは、プッシュボタン６の操作の中心位置Ｏ１に対してシフトした位置にシリンダ錠４が設けられた場合である。以下、説明する。
【００２５】
この第２実施形態のドアロック装置１Ｂは、前記第１実施形態のものと比較してシリンダ錠４の配置位置と、プッシュロッド２０及び被押圧レバー２１の構成が相違する。
【００２６】
即ち、図５〜図８に示すように、シリンダ錠４は、プッシュボタン６の中心Ｏ１に対してシフトした位置に設けられている。
【００２７】
プッシュロッド２０は、第１実施形態と同様に、錠部４ａの先端面に一体に設けられているが、錠部４ａの回転中心からシフトＬ１した位置で、且つ、錠部４ａがキー回転位置に位置する状態ではプッシュボタン６の中心Ｏ１にほぼ一致する位置より軸方向に突出されている。又、プッシュロッド２０の先端部２０ａは、円柱状に形成されている。
【００２８】
被押圧レバー２１は、第１実施形態と同様に、揺動ピン部２２を中心に揺動自在に支持されているが、その一端側には空振孔ではなく切欠部２１ａが形成されている。そして、錠部４ａが回転待機位置にある場合には、プッシュロッド２０の先端部２０ａが切欠部２１ａの位置に一致し、錠部４ａがキー回転位置にある場合には、プッシュロッド２０の先端部２０ａが被押圧レバー２１の面に対向するよう設定されている。又、被押圧レバー２１の他端側には、第１実施形態と同様に、フック部２１ｂが設けられている。
【００２９】
他の構成は、前記第１実施形態のものと形状の相違があるが機能的には同一であるため、同一構成箇所には同一符号を付してその説明を省略する。
【００３０】
上記構成において、図５（ａ）〜（ｃ）に示すように、錠部４ａが回転待機位置にある場合に、操作者がプッシュボタン６を押圧して錠部４ａをプッシュ位置まで押圧する。すると、図６（ａ）〜（ｃ）に示すように、錠部４ａと共にプッシュロッド２０が変位するが、プッシュロッド２０は被押圧レバー２１の切欠部２１ａを通過し、空振りする。そのため、被押圧レバー２１は変位せずにドアロック状態が保持される。
【００３１】
図７（ａ）〜（ｃ）に示すように、錠部４ａにキーを挿入して錠部４ａをキー回転位置に回転する。この状態で操作者がプッシュボタン６を押圧して錠部４ａをプッシュ位置まで押圧する。すると、図８（ａ）〜（ｃ）に示すように、錠部４ａと共にプッシュロッド２０が変位し、プッシュロッド２０は被押圧レバー２１を押圧する。これによって、被押圧レバー２１は変位し、ドアロック状態が解除される。
【００３２】
以上、第２実施形態では、錠部４ａに直接プッシュロッド２０が固定されている。そして、プッシュボタン６の中心Ｏ１上にプッシュロッド２０の押圧ポイントがほぼ位置するため、操作者の押圧力がほぼストレートにプッシュロッド２０の押圧ポイントに作用する。以上より、従来例に較べて構造がシンプルで、且つ、部品点数が少なくて済み、しかも、操作性が良い。
【００３３】
尚、第１及び第２実施形態では、ドア２側にボタンケース３等を設け、ドア支持部材１０側に被フック部１１を設けたが、ドア支持部材１０側にボタンケース３等を設け、ドア２側に被フック部１１を設けても良い。
【００３４】
尚、第１及び第２実施形態では、被押圧レバー８，２１が直接にドア支持部材１０側の被フック部１１を係合するよう構成されているが、ボタンケース３と被フック部１１の設置位置によっては被押圧レバー８，２１と被フック部１１との間に押圧力中間伝達系が介在されることはもちろんである。
【図面の簡単な説明】
【００３５】
【図１】本発明の第１実施形態を示し、（ａ）はシリンダ錠が回転待機位置にあってプッシュ操作前のドアロック装置の正面図、（ｂ）は図１（ａ）のＡ−Ａ線断面図、（ｃ）はシリンダ錠が回転待機位置にある場合の被押圧レバーとプッシュロッドの先端部との位置関係を示す右側面図である。
【図２】本発明の第１実施形態を示し、（ａ）はシリンダ錠が回転待機位置にあってプッシュ操作後のドアロック装置の正面図、（ｂ）は図２（ａ）のＢ−Ｂ線断面図、（ｃ）はシリンダ錠が回転待機位置にある場合の被押圧レバーとプッシュロッドの先端部との位置関係を示す右側面図である。
【図３】本発明の第１実施形態を示し、（ａ）はシリンダ錠がキー回転位置にあってプッシュ操作前のドアロック装置の正面図、（ｂ）は図３（ａ）のＣ−Ｃ線断面図、（ｃ）はシリンダ錠がキー回転位置にある場合の被押圧レバーとプッシュロッドの先端部との位置関係を示す右側面図である。
【図４】本発明の第１実施形態を示し、（ａ）はシリンダ錠がキー回転位置にあってプッシュ操作後のドアロック装置の正面図、（ｂ）は図４（ａ）のＤ−Ｄ線断面図、（ｃ）はシリンダ錠がキー回転位置にある場合の被押圧レバーとプッシュロッドの先端部との位置関係を示す右側面図である。
【図５】本発明の第２実施形態を示し、（ａ）はシリンダ錠が回転待機位置にあってプッシュ操作前のドアロック装置の正面図、（ｂ）は図５（ａ）のＥ−Ｅ線断面図、（ｃ）はシリンダ錠が回転待機位置にある場合の被押圧レバーとプッシュロッドの先端部との位置関係を示す右側面図である。
【図６】本発明の第２実施形態を示し、（ａ）はシリンダ錠が回転待機位置にあってプッシュ操作後のドアロック装置の正面図、（ｂ）は図６（ａ）のＦ−Ｆ線断面図、（ｃ）はシリンダ錠が回転待機位置にある場合の被押圧レバーとプッシュロッドの先端部との位置関係を示す右側面図である。
【図７】本発明の第２実施形態を示し、（ａ）はシリンダ錠がキー回転位置にあってプッシュ操作前のドアロック装置の正面図、（ｂ）は図７（ａ）のＧ−Ｇ線断面図、（ｃ）はシリンダ錠がキー回転位置にある場合の被押圧レバーとプッシュロッドの先端部との位置関係を示す右側面図である。
【図８】本発明の第２実施形態を示し、（ａ）はシリンダ錠がキー回転位置にあってプッシュ操作後のドアロック装置の正面図、（ｂ）は図８（ａ）のＨ−Ｈ線断面図、（ｃ）はシリンダ錠がキー回転位置にある場合の被押圧レバーとプッシュロッドの先端部との位置関係を示す右側面図である。
【図９】従来例のドアロック装置の要部断面図である。
【図１０】従来例のドアロック装置の要部斜視図である。
【符号の説明】
【００３６】
１Ａ，１Ｂ  ドアロック装置
２  ドア
３  ボタンケース
３ａ  ボタン収容穴
４  シリンダ錠
４ａ  錠部
５  バネ（付勢手段）
６  プッシュボタン
６ａ  錠収容穴
７  プッシュロッド
７ａ  先端部
８  被押圧レバー（被押圧部材）
８ａ  空振孔
１０  ドア支持部材
２０  プッシュロッド
２０ａ  先端部
２１  被押圧レバー（被押圧部材）
２１ａ  切欠部
【図１】
2007270422.tif 000003
【図２】
2007270422.tif 000004
【図３】
2007270422.tif 000005
【図４】
2007270422.tif 000006
【図５】
2007270422.tif 000007
【図６】
2007270422.tif 000008
【図７】
2007270422.tif 000009
【図８】
2007270422.tif 000010
【図９】
2007270422.tif 000011
【図１０】
2007270422.tif 000012